(57)【要約】【課題】下階の相対する壁パネル間に掛け渡した梁の上に上階の床パネルを支持するに際し、下階のプランの自由度を高めること。【解決手段】床パネル２０Ａ〜２０Ｄの接合構造であって、ウエブ３２と、このウエブ３２を挟んで対称な２つのフランジ３１からなる断面逆Ｔ字型の梁３０の、２つのフランジ３１それぞれに床パネル２０Ａ〜２０Ｄの端部を載せ、フランジ３１の下から貫通する止め具４２によって、各フランジ３１に各床パネル２０Ａ〜２０Ｄの端部を接合してなるもの。【選択図】  図４
2004176469.tif 000002
【特許請求の範囲】
【請求項１】
ウエブと、このウエブを挟んで対称な２つのフランジからなる断面逆Ｔ字型の梁の、２つのフランジそれぞれに床パネル端部を載せ、
フランジの下から貫通する止め具によって、各フランジに各床パネルの端部を接合してなる床パネルの接合構造。
【請求項２】
前記２つのフランジそれぞれに、上記梁の長手方向に並ぶ複数の床パネルを接合してなる請求項１に記載の床パネルの接合構造。
【請求項３】
前記梁のウエブを挟んで相隣る床パネルの上部間に面材を張り渡してなる請求項１又は２に記載の床パネルの接合構造。
【請求項４】
前記梁の長手方向に沿う止め具の間隔を３００ｍｍ以下にする請求項１〜３のいずれかに記載の床パネルの接合構造。
【請求項５】
請求項１〜４のいずれかに記載の床パネルの接合構造を用いて、壁パネルと床パネルからなる建物ユニットの床パネルを接合してなるユニット建物。
【請求項６】
請求項５に記載のユニット建物であって、
２行複数列に複数の下階建物ユニットを並置して建物ユニット群とし、
建物ユニット群の行方向の両端位置に壁パネルが立設され、
この壁パネル間に跨って、かつ、行間に沿って上記梁を掛け渡し、
この梁にて複数の上階建物ユニットの床パネルを接合してなるユニット建物。
【発明の詳細な説明】
【０００１】
【発明の属する技術分野】
本発明は床パネルの接合構造及びユニット建物に関する。
【０００２】
【従来の技術】
特許文献１に記載の如く、２行２列の４個の下階建物ユニットを並置して建物ユニット群とし、建物ユニット群の行方向の両端位置に壁パネルが立設され、この壁パネル間に跨って、かつ、行間に沿って梁を掛け渡し、この梁にて複数の上階建物ユニットの床パネルを支持するものがある。
【０００３】
【特許文献１】
特開平８−３１１９９９（［００２６］、図１０（ｂ））
【０００４】
【発明が解決しようとする課題】
特許文献１のユニット建物では、上階建物ユニットの垂直荷重を梁によって負担できるものの、上階建物ユニットに対し梁の長手方向に沿って作用する水平荷重は上階の床パネルを介して下階の建物ユニット群の行方向の両端位置に立設されている壁パネルによって負担するものになる。
【０００５】
ところが、水平荷重を下階の建物ユニット群の行方向の両端位置に立設されている壁パネルだけによって十分に負担することには困難があり、上階の床パネルは梁の長手方向に沿ってずれ変位し、梁の両側にて相隣る２つの床パネルが互いに離間するおそれがある。そこで、特許文献１では、下階の２行をなす建物ユニット群の行間に臨んで各１行をなす建物ユニットの側辺部の一部に小壁（耐力壁）を立設し、梁の一端部をこの小壁に掛け渡すとともに、上階の床パネルの端部を梁及び小壁にて支持するものとしている。これにより、上階の床パネルの水平荷重に起因するずれ変位を防止できるものの、小壁の存在が下階のプランを制約するものになり、下階に大きく連続する居室空間を形成することの障害になる。
【０００６】
本発明の課題は、下階の相対する壁パネル間に掛け渡した梁の上に上階の床パネルを支持するに際し、下階のプランの自由度を高めることにある。
【０００７】
【課題を解決するための手段】
請求項１の発明は、ウエブと、このウエブを挟んで対称な２つのフランジからなる断面逆Ｔ字型の梁の、２つのフランジそれぞれに床パネル端部を載せ、フランジの下から貫通する止め具によって、各フランジに各床パネルの端部を接合してなる床パネルの接合構造である。
【０００８】
請求項２の発明は、請求項１の発明において更に、前記２つのフランジそれぞれに、上記梁の長手方向に並ぶ複数の床パネルを接合してなるようにしたものである。
【０００９】
請求項３の発明は、請求項１又は２の発明において更に、前記梁のウエブを挟んで相隣る床パネルの上部間に面材を張り渡してなるようにしたものである。
【００１０】
請求項４の発明は、請求項１〜３のいずれかの発明において更に、前記梁の長手方向に沿う止め具の間隔を３００ｍｍ以下にするようにしたものである。
【００１１】
請求項５の発明は、請求項１〜４のいずれかに記載の床パネルの接合構造を用いて、壁パネルと床パネルからなる建物ユニットの床パネルを接合してなるユニット建物である。
【００１２】
請求項６の発明は、請求項５に記載のユニット建物であって、２行複数列に複数の下階建物ユニットを並置して建物ユニット群とし、建物ユニット群の行方向の両端位置に壁パネルが立設され、この壁パネル間に跨って、かつ、行間に沿って上記梁を掛け渡し、この梁にて複数の上階建物ユニットの床パネルを接合してなるようにしたものである。
【００１３】
【作用】
請求項１の発明によれば下記▲１▼の作用がある。
▲１▼上階の相隣る床パネルの端部が梁の２つのフランジそれぞれに止め具により接合されるから、梁の長手方向に沿って床パネルに作用する水平荷重は止め具を介して梁にて負担される。従って、床パネルの梁の長手方向に沿うずれ変位、ひいては梁の両側にて相隣る２つの床パネルの相互離間を防止できる。上階の床パネルのずれ変位を防止するための該床パネルが接合される小壁（耐力壁）等を下階に設ける必要がなく、下階のプランの自由度を高めることができる。
【００１４】
請求項２の発明によれば下記▲２▼の作用がある。
▲２▼梁の長手方向に並ぶ複数の床パネルを梁の２つのフランジのそれぞれに接合させるから、相並ぶ複数の床パネルの上述▲１▼の梁の長手方向に沿うずれ変位を防止できる。
【００１５】
請求項３の発明によれば下記▲３▼の作用がある。
▲３▼梁のウエブを挟んで相隣る床パネルと床パネルに張り渡し面材を設けることにより、それら床パネルのずれ変位、相互離間を防止できる。
【００１６】
請求項４の発明によれば下記▲４▼の作用がある。
▲４▼床パネルの端部を梁のフランジに接合する止め具を３００ｍｍ以下という小間隔で設けることにより、床パネルを梁のフランジに強固に接合し、床パネルのずれ変位、相互離間を防止できる。
【００１７】
請求項５の発明によれば下記▲５▼の作用がある。
▲５▼ユニット建物において、上述▲１▼〜▲４▼を実現し、上階建物ユニットの床パネルを支持する小壁（耐力壁）等を下階建物ユニットに設ける必要がなく、下階のプランの自由度を高めることができる。
【００１８】
請求項６の発明によれば下記▲６▼の作用がある。
▲６▼２行２列等の２行複数列をなす複数の建物ユニットからなるユニット建物において、上述▲１▼〜▲４▼を実現し、上階建物ユニットの床パネルを支持する小壁（耐力壁）等を下階建物ユニットに設ける必要がなく、下階のプランの自由度を高めることができ、下階に大きく連続する居室空間を形成できる。
【００１９】
【発明の実施の形態】
図１はユニット建物を構成する４個の建物ユニットの配置を示す斜視図、図２はユニット建物における梁の掛け渡し状態を示し、（Ａ）は全体斜視図、（Ｂ）は梁の斜視図、図３はユニット建物における床パネルの載置状態を示す斜視図、図４はユニット建物における面材の張り渡し状態を示す斜視図、図５は相隣る床パネルの接合過程を示す断面図、図６は相隣る床パネルの接合構造を示す断面図である。
【００２０】
ユニット建物１は、複数の建物ユニットを水平面内にて並置するとともに、下階の建物ユニットの上に上階の建物ユニットを搭載して構築される。本実施形態のユニット建物１は、少なくとも一部に、図１〜図４に示す如く、２行２列（２行３列の如くの２行多数列でも可）をなす４個の建物ユニット１０Ａ〜１０Ｄを並置し、下階の各建物ユニット１０Ａ〜１０Ｄの上に上階の各建物ユニットを構成する床パネル２０Ａ〜２０Ｄを搭載している。
【００２１】
建物ユニット１０Ａ〜１０Ｄは、木質壁式ユニットであり、図１に示す如く、方形の床パネル１１の側辺部に壁パネル１２を立設して構成される。
【００２２】
床パネル２０Ａ〜２０Ｄは、図３、図５に示す如く、側根太２１、端根太２２、面材受材２３（側根太２１の間に架設される）からなる床枠組の外周下面に下枠材２４を取着し、かつ床枠組の上面に面材２５を取着して構成される。
【００２３】
ユニット建物１は、下階の建物ユニット１０Ａ〜１０Ｄによって大きく連続する居室空間を形成するため、以下の施工手順で施工される、以下の構造を備える。
【００２４】
（１）２行２列をなす４個の建物ユニット１０Ａ〜１０Ｄを基礎の上に並置する。建物ユニット１０Ａは第１行第１列目、建物ユニット１０Ｂは第１行第２列目、建物ユニット１０Ｃは第２行第１列目、建物ユニット１０Ｄは第２行第２列目に配置される（図１）。
【００２５】
建物ユニット１０Ａ〜１０Ｄは、方形の床パネル１１の４つの側辺部のうち、相交差する２つの側辺部に壁パネル１２を立設し、他の２つの側辺部には壁パネル１２を立設していない。そして、相並ぶ建物ユニット１０Ａ〜１０Ｄの行間（建物ユニット１０Ａと建物ユニット１０Ｃの間、建物ユニット１０Ｂと建物ユニット１０Ｄの間）、及び列間（建物ユニット１０Ａと建物ユニット１０Ｂの間、建物ユニット１０Ｃと建物ユニット１０Ｄの間）に臨む側辺部には壁パネル１２を立設していない。これにより、建物ユニット１０Ａ〜１０Ｄは、相互に壁パネル１２によって仕切られない、大きく連続する居室空間１３を形成する。
【００２６】
（２）第１行と第２行の各１行をなす建物ユニット群、換言すれば第１行の建物ユニット群（建物ユニット１０Ａと建物ユニット１０Ｂ）と第２行の建物ユニット群（建物ユニット１０Ｃと建物ユニット１０Ｄ）を考える。そして、第１行の建物ユニット群の行方向の両端位置、本実施形態では建物ユニット１０Ａと建物ユニット１０Ｂの行方向の外側の側辺部に前述の如くに壁パネル１２を立設する。また、第２行の建物ユニット群の行方向の両端位置、本実施形態では建物ユニット１０Ｃと建物ユニット１０Ｄの行方向の外側の側辺部に前述の如くに壁パネル１２を立設する。
【００２７】
（３）上述（２）の建物ユニット群の行方向の両端位置に立設した壁パネル１２に跨って、かつ２行をなす建物ユニット群の行間、換言すれば第１行の建物ユニット群（建物ユニット１０Ａと建物ユニット１０Ｂ）と第２行の建物ユニット群（建物ユニット１０Ｃと建物ユニット１０Ｄ）の行間に沿って、逆Ｔ字型の断面をもつ梁３０を掛け渡す（図２）。梁３０は、ウエブ３２と、このウエブ３２を挟んで対称な２つのフランジ３１、３１からなる断面逆Ｔ型をなす。
【００２８】
建物ユニット１０Ａ〜１０Ｄの壁パネル１２は梁３０を埋込み、梁３０のフランジ３１の上面を壁パネル１２の上面と面一に設定するための凹部１２Ａを備える。梁３０の２つのフランジ３１の両端部が建物ユニット１０Ａと建物ユニット１０Ｃの壁パネル１２（凹部１２Ａ）、建物ユニット１０Ｂと建物ユニット１０Ｄの壁パネル１２（凹部１２Ａ）のそれぞれに釘又はビス等の止め具４１により接合される。梁３０のフランジ３１には止め具４１のための釘孔が予め設けられている。
【００２９】
（４）梁３０におけるウエブ３２の両側の２つのフランジ３１の上に、２行をなして相隣る上階の各建物ユニット（不図示）の床パネル、換言すれば第１列目で２行をなす床パネル２０Ａと床パネル２０Ｃ、及び第２列目で２行をなす床パネル２０Ｂと床パネル２０Ｄの基端部を載せる（図３）。梁３０の２つのフランジ３１のそれぞれに、梁３０の長手方向に並ぶ床パネル２０Ａと床パネル２０Ｂ、床パネル２０Ｃと床パネル２０Ｄが接合されることになる。尚、各床パネル２０Ａ〜２０Ｄにおいて、梁３０に載る端部に相対する端部と、これに交差する１つの側部（外側の側部）は、対応する下階の建物ユニット１０Ａ〜１０Ｄの壁パネル１２の上面に接合される。
【００３０】
梁３０の２つのフランジ３１の下から貫通する釘又はビス等の止め具４２により、床パネル２０Ａ〜２０Ｄの上記フランジ３１に載っている端部を該フランジ３１に接合する（図５）。床パネル２０Ａ〜２０Ｄの下枠材２４がフランジ３１に接合される。梁３０のフランジ３１には止め具４２のための釘孔が予め設けられている。
梁３０の長手方向に沿う止め具４２の打ち込み間隔は３００ｍｍ以下とする。
【００３１】
（５）相隣る床パネル２０Ａと床パネル２０Ｃ、床パネル２０Ｂと床パネル２０Ｄの、梁３０のウエブ３２を挟んで相隣る上部間に面材２６を張り渡す（図４〜図６）。張り渡し面材２６は、相隣る各床パネル２０Ａ〜２０Ｄの面材受材２３に釘２７により固定され、面材２５と面一に連続するものになる（図６）。
【００３２】
本実施形態によれば以下の作用がある。
▲１▼上階の相隣る床パネル２０Ａ〜２０Ｄの端部が梁３０の２つのフランジ３１それぞれに止め具４２により接合されるから、梁３０の長手方向に沿って床パネル２０Ａ〜２０Ｄに作用する水平荷重は止め具４２を介して梁３０にて負担される。従って、床パネル２０Ａ〜２０Ｄの梁３０の長手方向に沿うずれ変位、ひいては梁３０の両側にて相隣る２つの床パネル２０Ａ〜２０Ｄの相互離間を防止できる。上階の床パネル２０Ａ〜２０Ｄのずれ変位を防止するための該床パネル２０Ａ〜２０Ｄが接合される小壁（耐力壁）等を下階に設ける必要がなく、下階のプランの自由度を高めることができる。
【００３３】
▲２▼梁３０の長手方向に並ぶ床パネル２０Ａと床パネル２０Ｂ、床パネル２０Ｃと床パネル２０Ｄを梁３０の２つのフランジ３１のそれぞれに接合することにより、相並ぶ複数の床パネル２０Ａ〜２０Ｄの上述▲１▼の梁３０の長手方向に沿うずれ変位を防止できる。
【００３４】
▲３▼梁３０のウエブ３２を挟んで相隣る床パネル２０Ａと２０Ｃと床パネル２０Ｂと２０Ｄに張り渡し面材２６を設けることにより、それら床パネル２０Ａ〜２０Ｄのずれ変位、相互離間を防止できる。
【００３５】
▲４▼床パネル２０Ａ〜２０Ｄの端部を梁３０のフランジ３１に接合する止め具４２を３００ｍｍ以下という小間隔で設けることにより、床パネル２０Ａ〜２０Ｄを梁３０のフランジ３１に強固に接合し、床パネル２０Ａ〜２０Ｄのずれ変位、相互離間を防止できる。
【００３６】
▲５▼２行２列等の２行複数列をなす複数の建物ユニット１０Ａ〜１０Ｄからなるユニット建物１において、上述▲１▼〜▲４▼を実現し、上階建物ユニットの床パネル２０Ａ〜２０Ｄを支持する小壁（耐力壁）等を下階建物ユニットに設ける必要がなく、下階のプランの自由度を高めることができ、下階に大きく連続する居室空間を形成できる。
【００３７】
▲６▼梁３０は逆Ｔ字型の断面をなし、ウエブ３２を相並ぶ床パネル２０Ａと床パネル２０Ｃ、床パネル２０Ｂと床パネル２０Ｄの間に納め、張り渡し面材２６に干渉しない。また、梁３０が下階の天井下に突き出ることもなく、下階の開放感を損なわない。
【００３８】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の床パネルの接合構造はユニット建物に限らず、広く一般の建物に適用できる。
【００３９】
【発明の効果】
本発明によれば、下階の相対する壁パネル間に掛け渡した梁の上に上階の床パネルを支持するに際し、下階のプランの自由度を高めることができる。
【図面の簡単な説明】
【図１】図１はユニット建物を構成する４個の建物ユニットの配置を示す斜視図である。
【図２】図２はユニット建物における梁の掛け渡し状態を示し、（Ａ）は全体斜視図、（Ｂ）は梁の斜視図である。
【図３】図３はユニット建物における床パネルの載置状態を示す斜視図である。
【図４】図４はユニット建物における面材の張り渡し状態を示す斜視図である。
【図５】図５は相隣る床パネルの接合過程を示す断面図である。
【図６】図６は相隣る床パネルの接合構造を示す断面図である。
【符号の説明】
１  ユニット建物
１０Ａ〜１０Ｄ  建物ユニット
１１  床パネル
１２  壁パネル
１３  居室空間
２０Ａ〜２０Ｄ  床パネル
２６  張り渡し面材
３０  梁
３１  フランジ
３２  ウエブ
４２  止め具
【図１】
2004176469.tif 000003
【図２】
2004176469.tif 000004
【図３】
2004176469.tif 000005
【図４】
2004176469.tif 000006
【図５】
2004176469.tif 000007
【図６】
2004176469.tif 000008